(57)【要約】【課題】表示品位の劣化を抑制することが可能な表示装置を提供する。【解決手段】表示領域及び非表示領域を有する表示装置であって、第１基板と、前記第１基板に対向配置された第２基板と、前記第１基板と前記第２基板とを貼り合せるシール材と、前記第１基板と前記第２基板との間に保持され前記シール材で封止された液晶層と、前記シール材で囲まれた内側に位置し前記非表示領域に配置されたトラップ電極と、前記シール材と前記トラップ電極との間に配置されたバンクと、を備えている表示装置。【選択図】図３
2017026815.tif 000002
【特許請求の範囲】
【請求項１】
表示領域及び非表示領域を有する表示装置であって、
第１基板と、
前記第１基板に対向配置された第２基板と、
前記第１基板と前記第２基板とを貼り合せるシール材と、
前記第１基板と前記第２基板との間に保持され前記シール材で封止された液晶層と、
前記シール材で囲まれた内側に位置し前記非表示領域に配置されたトラップ電極と、
前記シール材と前記トラップ電極との間に配置されたバンクと、を備えている表示装置。
【請求項２】
前記トラップ電極の電位は、固定電位である、請求項１に記載の表示装置。
【請求項３】
更に、前記非表示領域に配置され前記表示領域の各画素を駆動するのに必要な駆動信号を供給するドライバと、前記非表示領域に配置され前記ドライバに固定電位を供給するデータ供給線と、を備え、
前記トラップ電極は、前記データ供給線に電気的に接続されている、請求項２に記載の表示装置。
【請求項４】
更に、前記表示領域に形成され前記第１基板と前記第２基板との間隔を保持するスペーサを備え、
前記バンクは前記スペーサと同一基板上に形成されている、請求項１乃至３のいずれか１項に記載の表示装置。
【請求項５】
前記バンクは、前記シール材の前記液晶層との境界よりも前記液晶層側に突出している、請求項１乃至４のいずれか１項に記載の表示装置。
【請求項６】
前記表示装置は、更に、互いに交差する方向に延在する第１端辺と第２端辺とによって形成される角部を備え、
前記トラップ電極は、前記角部の近傍に配置されている、請求項１乃至５のいずれか１項に記載の表示装置。
【請求項７】
前記第１端辺に沿って延在する前記シール材は、前記液晶層との境界から前記シール材の外端部までの第１幅と、前記バンクとの境界から前記外端部までの第２幅とを有し、前記第１幅は前記第２幅よりも大きい、請求項６に記載の表示装置。
【請求項８】
前記トラップ電極は、Ｌ字形または多角形である、請求項１乃至７のいずれか１項に記載の表示装置。
【請求項９】
前記バンクは、凹凸形状の外周面を有している、請求項１乃至８のいずれか１項に記載の表示装置。
【請求項１０】
前記第１基板は、前記表示領域に、第１電極と、前記第１電極の前記液晶層側に配置された絶縁膜と、前記絶縁膜の前記液晶層側に配置された第２電極と、前記第１電極又は前記第２電極に電気的に接続されたスイッチング素子と、を備え、
前記トラップ電極は、前記絶縁膜の前記液晶層側に配置され前記第２電極と同一材料によって形成されている、請求項１乃至９のいずれか１項に記載の表示装置。
【発明の詳細な説明】
【技術分野】
【０００１】
本発明の実施形態は、表示装置に関する。
【背景技術】
【０００２】
液晶表示装置は、液晶層中のイオン性不純物が表示領域に凝集すると、表示品位が劣化する恐れがあることが知られている。  
例えば特許文献１には、表示領域とシール材との間に延在するイオントラップ電極（第１電極、第２電極、乃至第３電極）を配置して、各電極間の電位差によって発生した電界により、液晶層の外縁が表示領域と反対側に突出した突出部に、不純物を留まらせる技術が開示されている。
【先行技術文献】
【特許文献】
【０００３】
【特許文献１】特開２０１４−１１９６８３号公報
【発明の概要】
【発明が解決しようとする課題】
【０００４】
しかし、近年では、表示装置の狭額縁化の要望が高まっており、表示領域の外側にイオントラップ用の電極を配置するためのスペース確保が困難になりつつある。
【０００５】
本実施形態の目的は、狭額縁化を阻害することなく表示品位の劣化を抑制することが可能な表示装置を提供することにある。
【課題を解決するための手段】
【０００６】
本実施形態によれば、
表示領域及び非表示領域を有する表示装置であって、第１基板と、前記第１基板に対向配置された第２基板と、前記第１基板と前記第２基板とを貼り合せるシール材と、前記第１基板と前記第２基板との間に保持され前記シール材で封止された液晶層と、前記シール材で囲まれた内側に位置し前記非表示領域に配置されたトラップ電極と、前記シール材と前記トラップ電極との間に配置されたバンクと、を備えている表示装置が提供される。
【図面の簡単な説明】
【０００７】
【図１】図１は、本実施形態に係る表示装置の構成を示す図である。
【図２】図２は、図１に示した表示領域ＤＡの画素の構成を示す図である。
【図３】図３は、第１角部近傍の表示パネルの構成を示す平面図である。
【図４】図４は、接続部の構成の一例を示す図である。
【図５】図５は、表示領域の画素における表示パネルの断面を示す図である。
【図６】図６は、図３に図示した表示パネルのＶＩ−ＶＩ´線に沿った断面を示す図である。
【図７】図７は、硬化性樹脂組成物の塗布工程における第２基板を示す平面図である。
【図８】図８は、第１基板と第２基板との位置合わせ工程における、図７に図示したＡ−Ａ´線に沿った表示パネルの断面を示す図である。
【図９】図９は、ＵＶ照射工程における、図７に図示したＡ−Ａ´線に沿った表示パネルの断面を示す図である。
【図１０】図１０は、硬化性樹脂組成物の硬化後の表示パネルを示す平面図である。
【図１１】図１１は、トラップ電極の形状が異なる変形例の表示パネルを示す図である。
【図１２】図１２は、トラップ電極及びバンクの位置が異なる変形例の表示パネルを示す図である。
【図１３】図１３は、バンクの形状が異なる変形例の表示パネルを示す図である。
【図１４】図１４は、トラップ電極及びバンクの配置の一例を示す図である。
【図１５】図１５は、トラップ電極及びバンクを実装辺の反対側の端辺に配置した場合の変形例を示す図である。
【図１６】図１６は、トラップ電極及びバンクを実装辺側の端辺に配置した場合の変形例を示す図である。
【図１７】図１７は、トラップ電極及びバンクが端辺に沿って第１角部から第２角部まで一体的に形成された場合の変形例を示す図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態に係る表示装置の構成を示す図である。  
表示装置ＤＳＰは、表示パネルＰＮＬ、表示パネルＰＮＬを駆動する駆動ＩＣチップＩＣ、表示パネルＰＮＬを照明する照明装置（バックライトユニット）ＢＬ、表示パネルＰＮＬ及び照明装置ＢＬの動作を制御する制御モジュールＣＭ、表示パネルＰＮＬ及び照明装置ＢＬへ制御信号を伝達するフレキシブル回路基板ＦＰＣ１、ＦＰＣ２、などを備えている。なお、本実施形態において、第１方向Ｘは、例えば表示パネルＰＮＬの短辺方向である。第２方向Ｙは、第１方向Ｘと交差する方向であり、表示パネルＰＮＬの長辺方向である。また、第３方向Ｚは、第１方向Ｘ及び第２方向Ｙと交差する方向である。また、主面とは、第１方向Ｘと第２方向Ｙとで規定されるＸ−Ｙ平面と平行な面であるものとする。
【００１０】
表示パネルＰＮＬは、第１基板１００と、第１基板１００に対向配置された第２基板２００と、第１基板１００と第２基板２００とを貼り合せるシール材ＳＥと、第１基板１００と第２基板２００との間に保持されシール材ＳＥで封止された液晶層（後述する液晶層ＬＱ）と、を備えている。表示パネルＰＮＬは、画像を表示する表示領域ＤＡ、及び、表示領域ＤＡの周辺に位置する額縁状の非表示領域ＮＤＡを備えている。図示した例では、表示領域ＤＡは、四角形状に形成されているが、他の多角形状に形成されても良いし、円形状あるいは楕円形状などの他の形状に形成されても良い。
【００１１】
照明装置ＢＬは、第１基板１００と対向する表示パネルＰＮＬの背面側に配置されている。このような照明装置ＢＬとしては、種々の形態が適用可能であり特に限定はされず、例えば、ＬＥＤ（Light Emitting Diode）などの発光素子が主面と平行な面内に配置されている直下型でもよく、発光素子が図示しない導光板の端部に配置されたエッジ型でもよい。
【００１２】
表示パネルＰＮＬは、一方の短辺側の第１基板１００上に実装部ＭＴを有している。駆動ＩＣチップＩＣは、実装部ＭＴに実装されている。フレキシブル回路基板ＦＰＣ１は、実装部ＭＴに実装され、表示パネルＰＮＬと制御モジュールＣＭとを接続している。フレキシブル回路基板ＦＰＣ２は、照明装置ＢＬと制御モジュールＣＭとを接続している。
【００１３】
表示パネルＰＮＬは、第１基板１００と第２基板２００とが対向する領域に、第１角部Ｃ１、第２角部Ｃ２、第３角部Ｃ３、及び第４角部Ｃ４を有している。第３角部Ｃ３及び第４角部Ｃ４は、実装部ＭＴ側に位置している。第１角部Ｃ１及び第２角部Ｃ２は、第３角部Ｃ３及び第４角部Ｃ４の反対側に位置している。また、第１角部Ｃ１は、第３角部Ｃ３の対角に位置し、第２角部Ｃ２は、第４角部Ｃ４の対角に位置している。
【００１４】
このような構成の表示装置ＤＳＰは、照明装置ＢＬから表示パネルＰＮＬに入射する光を各画素ＰＸで選択的に透過することによって画像を表示する透過表示機能を備えた、いわゆる透過型の液晶表示装置に相当する。但し、表示装置ＤＳＰは、外部から表示パネルＰＮＬに向かって入射する外光を各画素ＰＸで選択的に反射することによって画像を表示する反射表示機能を備えた、いわゆる反射型の液晶表示装置であっても良いし、透過型及び反射型の双方の機能を備えた半透過型の液晶表示装置であっても良い。反射型の液晶表示装置については、光源を省略しても良いし、第２基板２００と対向する表示パネルＰＮＬの前面側に、照明装置（フロントライトユニット）が配置されていても良い。以下では、透過型の液晶表示装置を例に説明する。
【００１５】
図２は、図１に示した表示領域ＤＡの画素の構成を示す図である。  
各画素ＰＸは、スイッチング素子ＰＳＷ、画素電極ＰＥ、共通電極ＣＥ、液晶層ＬＱなどを備えている。スイッチング素子ＰＳＷは、例えば薄膜トランジスタ（ＴＦＴ）で形成されている。スイッチング素子ＰＳＷは走査線Ｇ、信号線Ｓ、及び、画素電極ＰＥと電気的に接続されている。例えば、走査線Ｇは第１方向Ｘに延在し、信号線Ｓは第２方向Ｙに延在している。なお、走査線Ｇ及び信号線Ｓは、直線状に形成されていてもよいし、それぞれの少なくとも一部が屈曲していてもよい。液晶層ＬＱは、画素電極ＰＥと共通電極ＣＥとの間に生じる電界によって駆動される。保持容量ＣＳは、例えば、共通電極ＣＥと画素電極ＰＥとの間に形成される。
【００１６】
次に、液晶層ＬＱ中のイオン性不純物を集積するポケット領域ＰＣＫの構造について説明する。  
図３は、第１角部近傍の表示パネルの構成を示す平面図である。  
第１角部Ｃ１は、第１端辺ＥＤ１と第２端辺ＥＤ２とによって形成されている。例えば、第１端辺ＥＤ１は、表示パネルＰＮＬの長辺であり、第２方向Ｙに延在している。また、第２端辺ＥＤ２は、表示パネルＰＮＬの短辺であり、第１方向Ｘに延在している。
【００１７】
表示パネルＰＮＬは、例えば、表示領域ＤＡにおいて、第１方向Ｘ及び第２方向Ｙにマトリクス状に並んだ画素ＰＸを備えている。第２方向Ｙに並ぶ画素ＰＸは、例えば、交互に異なる方向に延在している。ただし、画素ＰＸの配置は、特に図示した例に限定されるものではない。
【００１８】
表示パネルＰＮＬは、例えば、非表示領域ＮＤＡにおいて、シール材ＳＥ、トラップ電極ＴＲＥ、バンクＢＡ、データ供給線ＳＩＧ、及び走査線ドライバＧＤを備えている。  
シール材ＳＥは、第１端辺ＥＤ１及び第２端辺ＥＤ２に沿って延在している。トラップ電極ＴＲＥは、シール材ＳＥで囲まれた内側に位置し、第１基板１００又は第２基板２００の非表示領域ＮＤＡに配置されている。また、トラップ電極ＴＲＥは、第１角部Ｃ１の近傍に配置されている。トラップ電極ＴＲＥは、好適な一方の基板に配置されてもよく、両方の基板に配置されてもよい。なお、図示する例において、トラップ電極ＴＲＥは、図６に後述する様に、第１基板１００に配置されている。
【００１９】
例えば、トラップ電極ＴＲＥは、Ｌ字形状を有している。図示した例において、トラップ電極ＴＲＥは、第１角部Ｃ１に対向配置された屈曲部ＢＰと、第１端辺ＥＤ１と平行に延出した第１延出部ＥＰ１と、第２端辺ＥＤ２と平行に延出した第２延出部ＥＰ２と、を備えている。屈曲部ＢＰは、第１延出部ＥＰ１と第２延出部ＥＰ２とが交差する部分に相当する。第１延出部ＥＰ１は、屈曲部ＢＰを起点として、第２端辺ＥＤ２から離間する側へ延出している。第２延出部ＥＰ２は、屈曲部ＢＰを起点として、第１端辺ＥＤ１から離間する側へ延出している。なお、トラップ電極ＴＲＥの形状は、特に限定されるものではなく、多角形、円形状、あるいは楕円形状などの他の形状であってもよい。また、トラップ電極ＴＲＥは、主面に垂直な方向に凹凸を有する形状や、主面に垂直な方向に貫通するスリットを有する形状であってもよい。
【００２０】
バンクＢＡは、シール材ＳＥとトラップ電極ＴＲＥとの間に配置されている。図示した例では、バンクＢＡは、トラップ電極ＴＲＥを囲み、液晶層においてポケット領域ＰＣＫを形成している。すなわち、バンクＢＡは、第１部分ＰＡ１、第２部分ＰＡ２、第３部分ＰＡ３、及び、第４部分ＰＡ４を有している。第１部分ＰＡ１は、第１端部ＥＤ１に沿って第２方向Ｙに延出し、シール材ＳＥと接している。また、第１部分ＰＡ１は、第１延出部ＥＰ１と第１端部ＥＤ１との間に位置している。第２部分ＰＡ２は、第２端部ＥＤ２に沿って第１方向Ｘに延出し、シール材ＳＥと接している。また、第２部分ＰＡ２は、第２延出部ＥＰ２と第２端部ＥＤ２との間に位置している。この第２部分ＰＡ２は、屈曲部ＢＰと第１角部Ｃ１との間で、第１部分ＰＡ１と繋がっている。第３部分ＰＡ３は、第１部分ＰＡ１から表示領域ＤＡに向かって延出している。第４部分ＰＡ４は、第２部分ＰＡ２から表示領域ＤＡに向かって延出している。
【００２１】
これらの第３部分ＰＡ３及び第４部分ＰＡ４は、途中で途切れ、表示領域ＤＡと対向する位置に開口部ＡＰを形成している。一例では、開口部ＡＰは、第１部分ＰＡ１と第２部分ＰＡ２とが繋がる位置の対角に位置している。第３部分ＰＡ３の端部ＯＥ１は、シール材ＳＥよりも第１端辺ＥＤ１から離間する側に突出している。第４部分ＰＡ４の端部ＯＥ２は、シール材ＳＥよりも第２端辺ＥＤ２から離間する側に突出している。なお、トラップ電極ＴＲＥの配置位置は、ポケット領域ＰＣＫに対応する領域に配置されていれば、特に限定されるものではない。
【００２２】
図示した例では、表示領域ＤＡは、ポケット領域ＰＣＫの外側に位置し、表示領域ＤＡの一部が開口部ＡＰに重なっているが、ポケット領域ＰＣＫの内側に位置していても良い。表示領域ＤＡがポケット領域ＰＣＫの内側に位置する場合、各画素ＰＸとトラップ電極ＴＲＥとが互いに重ならない範囲で近接して配置されることにより、非表示領域ＮＤＡの額縁幅を低減することができる。
【００２３】
複数のデータ供給線ＳＩＧは、非表示領域ＮＤＡにおいて第１端辺ＥＤ１に沿って第２方向Ｙに延在している。データ供給線ＳＩＧは、第１基板１００に配置され、図１に示した実装部ＭＴから第２端辺ＥＤ２側まで引き回されている。また、データ供給線ＳＩＧは、例えば、図５で後述するゲート電極ＷＧが形成される電極層や、ソース電極及びドレイン電極が形成される電極層などの少なくとも１つを利用して形成されている。複数のデータ供給線ＳＩＧは、固定電位のデータ供給線を含む。データ供給線ＳＩＧへ供給される固定電位は、例えば、ゲート電極ＷＧに印加されるゲートハイＶＧＨ及びゲートローＶＧＬ、共通電極ＣＥに印加される共通電位などである。ゲートハイＶＧＨ及びゲートローＶＧＬなどの固定電位が供給される一部のデータ供給線ＳＩＧは、走査線ドライバＧＤに電気的に接続されている。
【００２４】
走査線ドライバＧＤは、非表示領域ＮＤＡに配置されており、図２に図示した走査線Ｇに接続されている。走査線ドライバＧＤは、例えば、データ供給線ＳＩＧから供給されたゲートハイＶＧＨ及びゲートローＶＧＬを基に駆動信号（走査信号）を生成し、走査線Ｇに対してスイッチング素子ＰＳＷの導通状態と非導通状態とを切り替えるための制御信号を出力する。データ供給線ＳＩＧ及び走査線ドライバＧＤは、図示した例では、シール材ＳＥより表示領域ＤＡ側に配置されているが、これに限定されるものではない。狭額縁の表示装置ＤＳＰの場合、非表示領域ＮＤＡの幅が狭いため、データ供給線ＳＩＧ及び走査線ドライバＧＤの少なくとも一部は、シール材ＳＥと重なる場合もあり得る。
【００２５】
トラップ電極ＴＲＥの電位は、固定電位であることが望ましい。例えば、トラップ電極ＴＲＥは、接続部ＣＮを介して、固定電位のデータ供給線ＳＩＧに電気的に接続されている。ただし、トラップ電極ＴＲＥは、走査線ドライバＧＤに電気的に接続され、走査線ドライバＧＤを介してゲートハイＶＧＨ又はゲートローＶＧＬの固定電位が供給されても良い。また、トラップ電極ＴＲＥの電位は、所定期間にわたり所定レベルの固定電位に保持された後に、他のレベルの固定電位に保持されても良い。
【００２６】
図４は、接続部の構成の一例を示す図である。  
図示した例は、接続部ＣＮがトラップ電極ＴＲＥに供給される固定電位を切り替えるスイッチング回路ＳＷを備えている例に相当する。切り替え可能な固定電位の例としては、ゲートハイＶＧＨ及びゲートローＶＧＬが挙げられるが、他の固定電位であっても良い。スイッチング回路ＳＷは、セレクト信号ＳＥＬを受けて、トラップ電極ＴＲＥの接続先の固定電位をゲートハイＶＧＨとゲートローＶＧＬとで切り替える。トラップ電極ＴＲＥは、正電位のゲートハイＶＧＨ及び負電位のゲートローＶＧＬのいずれにも接続されることができるため、トラップ電極ＴＲＥの電位は、正極性の固定電位及び負極性の固定電位のいずれにもなり得る。なお、スイッチング回路ＳＷは、例えば、走査線ドライバＧＤに内蔵することができる。
【００２７】
次に、図５及び図６を用いて表示パネルＰＮＬの断面構造について説明する。  
図５は、表示領域の画素における表示パネルの断面を示す図である。表示パネルＰＮＬに備えられた各層において、上（上方）は、表示パネルＰＮＬの前面に向かう方向であり、下（下方）は、表示パネルＰＮＬの背面に向かう方向であるものとする。
【００２８】
図示した表示パネルＰＮＬは、第１基板１００に画素電極ＰＥ及び共通電極ＣＥの双方が備えられた、主として基板主面に平行な横電界を利用する表示モードに対応した構成を有している。ただし、表示パネルＰＮＬは、特に表示モードを制限される訳ではなく、基板主面に対して垂直な縦電界や、基板主面に対して斜め方向の電界、或いは、それらを組み合わせて利用する表示モードに対応した構成を有していても良い。縦電界や斜め電界を利用する表示モードでは、例えば第１基板１００に画素電極ＰＥが備えられ、第２基板２００に共通電極ＣＥが備えられた構成が適用可能である。
【００２９】
第１基板１００は、第１絶縁基板１０、スイッチング素子ＰＳＷ、画素電極ＰＥ、共通電極ＣＥ、第１絶縁膜１１、第２絶縁膜１２、第３絶縁膜１３、第４絶縁膜１４、第５絶縁膜１５、第１配向膜ＡＬ１などを備えている。図示した例では、スイッチング素子ＰＳＷは、シングルゲート構造のトップゲート型の薄膜トランジスタであるが、ダブルゲート構造であっても良いし、ボトムゲート型の薄膜トランジスタであっても良い。
【００３０】
第１絶縁基板１０は、例えばガラスや樹脂などの光透過性を有する絶縁材料を用いて形成されている。第１絶縁膜１１は、第１絶縁基板１０の上に配置され、第１絶縁基板１０を覆っている。スイッチング素子ＰＳＷの半導体層ＳＣは、第１絶縁膜１１の上に島状に配置されている。第２絶縁膜１２は、第１絶縁膜１１及び半導体層ＳＣの上に配置されている。スイッチング素子ＰＳＷのゲート電極ＷＧは、第２絶縁膜１２の上に配置され、第２絶縁膜１２を介して半導体層ＳＣと対向している。第３絶縁膜１３は、第２絶縁膜１２及びゲート電極ＷＧの上に配置されている。スイッチング素子ＰＳＷのソース電極ＷＳ及びドレイン電極ＷＤは、第３絶縁膜１３の上に配置され、それぞれ第１コンタクトホールＣＨ１及び第２コンタクトホールＣＨ２を介して半導体層ＳＣと電気的に接続されている。第４絶縁膜１４は、第３絶縁膜１３、ソース電極ＷＳ、ドレイン電極ＷＤの上に配置されている。画素電極ＰＥは、第４絶縁膜１４の上に配置され、第３コンタクトホールＣＨ３を介してドレイン電極ＷＤと電気的に接続されている。第５絶縁膜１５は、第４絶縁膜１４及び画素電極ＰＥの上に配置されている。第１絶縁膜１１、第２絶縁膜１２、第３絶縁膜、及び第５絶縁膜１５は、例えばシリコン窒化物（ＳｉＮ）やシリコン酸化物（ＳｉＯ）などの無機絶縁材料によって形成されている。第４絶縁膜１４は、例えば有機絶縁材料によって形成されている。共通電極ＣＥは、第５絶縁膜１５の上に配置され、画素電極ＰＥと対向している。共通電極ＣＥの画素電極ＰＥと対向する領域には、少なくとも１つのスリットＳＬが形成されている。画素電極ＰＥ及び共通電極ＣＥは、例えば、インジウムチンオキサイド（ＩＴＯ）やインジウムジンクオキサイド（ＩＺＯ）などの透明な導電材料によって形成されている。第１配向膜ＡＬ１は、第５絶縁膜１５及び共通電極ＣＥの上に配置されている。このような構成では、画素電極ＰＥは第１電極に相当し、共通電極ＣＥは第２電極に相当する。
【００３１】
図示した例では、共通電極ＣＥが画素電極ＰＥより液晶層ＬＱ側に位置しているが、画素電極ＰＥが共通電極ＣＥより液晶層ＬＱ側に位置していてもよい。この場合、スリットＳＬは画素電極ＰＥに形成される。このような構成では、共通電極ＣＥが第１電極に相当し、画素電極ＰＥが第２電極に相当する。また、画素電極ＰＥ及び共通電極ＣＥは、櫛歯状に形成され、同一層に配置されていてもよい。
【００３２】
第２基板２００は、第２絶縁基板２０、遮光層ＳＨ、カラーフィルタＣＦ、オーバーコート層ＯＣ、スペーサＳＰ、及び第２配向膜ＡＬ２を備えている。  
第２絶縁基板２０は、例えばガラスや樹脂などの光透過性を有する絶縁材料を用いて形成されている。遮光層ＳＨは、第２絶縁基板２０の下面側に配置されている。カラーフィルタＣＦは、第２絶縁基板２０及び遮光層ＳＨの下面側に配置されている。カラーフィルタＣＦのそれぞれの端部は、遮光層ＳＨと重なっている。カラーフィルタＣＦは、例えば、赤色カラーフィルタ、緑色カラーフィルタ、青色カラーフィルタを有しているが、特に限定されるものではなく、白色（無着色）などの他の色のカラーフィルタを有していてもよい。なお、カラーフィルタＣＦは、第１基板１００に形成されても良い。
【００３３】
オーバーコート層ＯＣは、カラーフィルタＣＦの下面側に配置され、カラーフィルタＣＦを覆っている。スペーサＳＰは、例えば、オーバーコート層ＯＣの下面側に形成され、第１基板１００に向けて突出している。このスペーサＳＰは、第１基板１００と接触し、第１基板１００と第２基板２００との間隙を保持している。図示した例では、スペーサＳＰの先端は、第１配向膜ＡＬ１に直接接触しているが、スペーサＳＰと第１配向膜ＡＬ１との間に第２配向膜ＡＬ２が介在していても良い。なお、スペーサＳＰとしては、メインスペーサとサブスペーサとが含まれていても良い。メインスペーサは、定常状態で第１基板１００と接触し間隙を保持するものである。サブスペーサは、定常状態では第１基板１００から離間し、表示パネルに押圧力が加わった際に第１基板１００と接触するものである。このようなスペーサＳＰは、第１基板１００側に形成されて第２基板２００に向けて突出していてもよい。
【００３４】
第２配向膜ＡＬ２は、オーバーコート層ＯＣの下面及びスペーサＳＰの表面に配置されている。第１配向膜ＡＬ１及び第２配向膜ＡＬ２は、例えばポリイミドなどの水平配向性を有する有機材料で形成されており、ラビング処理や光配向処理などの配向処理が施されている。
【００３５】
液晶層ＬＱは、第１基板１００と第２基板２００との間隙に保持されている。液晶層ＬＱに含まれる液晶分子は、画素電極ＰＥと共通電極ＣＥとの間に電界が形成されていない状態では第１配向膜ＡＬ１及び第２配向膜ＡＬ２から配向規制力を受け、第１基板１００及び第２基板２００の主面に平行な方向に初期配向する。
【００３６】
第１光学素子ＯＤ１は、表示パネルＰＮＬの背面側に配置され、第２光学素子ＯＤ２は、表示パネルＰＮＬの前面側に配置されている。第１光学素子ＯＤ１は第１偏光板ＰＬ１を備えており、第２光学素子ＯＤ２は第２偏光板ＰＬ２を備えている。第１偏光板ＰＬ１及び第２偏光板ＰＬ２は、例えば、それぞれの吸収軸が互いに直交するように配置されている。なお、第１光学素子ＯＤ１及び第２光学素子ＯＤ２は、位相差板や表面処理層などの他の機能層を備えていてもよい。
【００３７】
図６は、図３に図示した表示パネルのＶＩ−ＶＩ´線に沿った断面を示す図である。  
トラップ電極ＴＲＥは、ポケット領域ＰＣＫと対向する位置に形成され、例えば、第５絶縁膜１５の上に配置されている。このようなトラップ電極ＴＲＥは、図５に図示した共通電極ＣＥと同一材料によって形成されている。なお、トラップ電極ＴＲＥは、画素電極ＰＥと同様に、第４絶縁膜１４の上に配置されてもよい。ただし、トラップ電極ＴＲＥは、ポケット領域ＰＣＫに作用する電界の強度を強くする為に、液晶層ＬＱの近くに配置することが望ましい。なお、ＶＡ（Vertical Aligned）方式などの縦電界方式の表示装置ＤＳＰの場合には、トラップ電極ＴＲＥは、第２基板２００に形成されていてもよい。この場合、トラップ電極ＴＲＥは、第２基板２００に形成される電極と同一材料によって形成可能である。
【００３８】
バンクＢＡは、図５に図示したスペーサＳＰと同一基板上に配置されていることが望ましい。バンクＢＡは、第２基板２００のオーバーコート層ＯＣの下面側に形成され、第１基板１００に向けて突出している。バンクＢＡの第１基板１００側に位置する頂面ＳＦｂは、第１配向膜ＡＬ１に接触している。第２絶縁基板２０とバンクＢＡとの間には、図５に示した表示領域ＤＡにおける第２絶縁基板２０とスペーサＳＰとの間と同様に、オーバーコート層ＯＣ、遮光層ＳＨ、カラーフィルタＣＦが積層されている。つまり、図示したカラーフィルタＣＦは、表示領域ＤＡのスペーサＳＰと同様に、バンクＢＡの頂面ＳＦｂが第１配向膜ＡＬ１に接触する様に、バンクＢＡの高さを調整する機能を有している。なお、頂面ＳＦｂと第１配向膜ＡＬ１との間には、第２配向膜ＡＬ２が配置されていてもよい。
【００３９】
シール材ＳＥは、第１基板１００、第２基板２００、及びバンクＢＡで三方を囲まれている。また、図示した例においては、表示パネルＰＮＬの第１端辺ＥＤ１において、シール材ＳＥの端部は、第１基板１００及び第２基板２００のそれぞれの端部と重なる位置にある。これは、マザー基板に複数の表示パネルＰＮＬを形成した後、シール材ＳＥごとマザー基板を切断し表示パネルＰＮＬを切り出している為である。
【００４０】
第４絶縁膜１４のシール材ＳＥと重なる領域には、溝部ＧＲが形成されている。溝部ＧＲは、その第１基板１００の法線方向の深さや主面に平行な方向の幅を適宜設定することができる。シール材ＳＥは、溝部ＧＲの内部に充填されている。これにより、シール材ＳＥの体積を増加することができ、シール材ＳＥによる第１基板１００と第２基板２００との接着力を向上することが可能となる。
【００４１】
溝部ＧＲは、第４絶縁膜１４を貫通している。また、第１配向膜ＡＬ１及び第２配向膜ＡＬ２の各々は、シール材ＳＥと重なる領域に端部を有している。これによって、第４絶縁膜１４、第１配向膜ＡＬ１及び第２配向膜ＡＬ２を介した液晶層ＬＱへの水分浸入を抑制することができる。また、溝部ＧＲは、複数形成されていてもよい。これにより、シール材ＳＥと第１基板１００との接触面積を増加させることができ、シール材ＳＥと第１基板１００との接着力を向上させることができる。
【００４２】
次に、図７〜図１０を用いてシール材ＳＥによる第１基板１００と第２基板２００との貼り合せ工程について説明する。なお、図７乃至１０については、説明に必要な構成のみを図示している。シール材ＳＥは、例えば、紫外線（ＵＶ）の照射により硬化する光硬化性樹脂で形成されている。なお、シール材ＳＥは、加熱により硬化する熱硬化性樹脂や、ＵＶ照射による仮硬化の後に加熱による本硬化を実施する光熱併用硬化性樹脂で形成されていてもよい。以下の説明においては、光硬化性樹脂を備えているシール材ＳＥを適用した場合の貼り合せ工程について説明する。
【００４３】
図７は、硬化性樹脂組成物の塗布工程における第２基板を示す平面図である。  
硬化性樹脂組成物ＰＲＥは、シール材ＳＥの前駆体であり、光硬化性樹脂のモノマー、重合開始剤、架橋剤、及び各種添加剤を備えた、粘度が高い液体である。なお、硬化性樹脂組成物ＰＲＥの塗布に先立ち、バンクＢＡが形成される他、図示しない遮光層、カラーフィルタ、オーバーコート層、スペーサなどが形成されている。塗布工程において、硬化性樹脂組成物ＰＲＥは、第２基板２００の表面に塗布される。例えば、ディスペンサを用いて硬化性樹脂組成物ＰＲＥを描画する場合、硬化性樹脂組成物ＰＲＥは、非表示領域ＮＤＡにおいて第２端辺ＥＤ２に沿って塗布された後に、バンクＢＡの第２部分ＰＡ２の外周面に沿って塗布され、さらに、バンクＢＡの第１部分ＰＡ１の外周面に反って塗布され、その後、第１端辺ＥＤ１に沿って塗布される。なお、硬化性樹脂組成物ＰＲＥの塗布は、ディスペンサを用いて描画することに限定されず、印刷版を用いた印刷やインクジェットを用いた描画であってもよい。
【００４４】
図８は、第１基板と第２基板との位置合わせ工程における、図７に図示したＡ−Ａ´線に沿った表示パネルの断面を示す図である。  
本工程において、第２基板２００には、液晶層ＬＱを構成する液晶組成物ＬＱＣ及び硬化性樹脂組成物ＰＲＥが載せられている。液晶組成物ＬＱＣは、硬化性樹脂組成物ＰＲＥ及びバンクＢＡより内側に配置されている。硬化性樹脂組成物ＰＲＥは、バンクＢＡを乗り越えないことが望ましく、塗布の段階ではバンクＢＡの頂面ＳＦｂの上には配置されていないことが望ましい。
【００４５】
トラップ電極ＴＲＥが配置された側を第２基板２００に向けて第１基板１００をアライメントした後に、第１基板１００と第２基板２００とを貼り合せる。
【００４６】
図９は、ＵＶ照射工程における、図７に図示したＡ−Ａ´線に沿った表示パネルの断面を示す図である。  
第１基板１００と第２基板２００とが貼り合わされ、加圧されることにより、液晶組成物ＬＱＣは、第１基板１００と第２基板２００との間で広がり、ポケット領域ＰＣＫにおいてはバンクＢＡに接触する。一方で、硬化性樹脂組成物ＰＲＥは、バンクＢＡを乗り越えることなく、バンクＢＡから外側（図示した第１端辺ＥＤ１側）に向かって第１基板１００と第２基板２００との間で広がる。その後、ＵＶが硬化性樹脂組成物ＰＲＥへ照射される。ＵＶを照射された硬化性樹脂組成物ＰＲＥは、重合反応を開始させ、硬化する。このような工程を経て第１基板１００と第２基板２００とを貼り合せるシール材ＳＥが形成される。
【００４７】
図１０は、硬化性樹脂組成物の硬化後の表示パネルを示す平面図である。  
第１端辺ＥＤ１に沿って延在するシール材ＳＥは、液晶層ＬＱとの境界ＢＤ１から、シール材ＳＥの幅方向における外端部までの幅Ｗ１と、バンクＢＡとの境界（あるいはバンクＢＡの外周面）から、外端部までの幅Ｗ２とを有している。幅Ｗ１は、幅Ｗ２よりも大きい。図示した例では、シール材ＳＥの外端部は、第１端辺ＥＤ１と重なっているが、第１端辺ＥＤ１よりも内側に位置する場合もあり得る。
【００４８】
第２端辺ＥＤ２に沿って延在するシール材ＳＥは、液晶層ＬＱとの境界ＢＤ２から、シール材ＳＥの幅方向における外端部までの幅Ｗ３と、バンクＢＡとの境界（あるいはバンクＢＡの外周面）から、外端部までの幅Ｗ４とを有している。幅Ｗ３は、幅Ｗ４よりも大きい。図示した例では、シール材ＳＥの外端部は、第２端辺ＥＤ２と重なっているが、第２端辺ＥＤ２よりも内側に位置する場合もあり得る。
【００４９】
以上の様に、本実施形態によれば、表示装置ＤＳＰは、非表示領域ＮＤＡに配置されたトラップ電極ＴＲＥと、シール材ＳＥとトラップ電極ＴＲＥとの間に配置されたバンクと、を備えている。トラップ電極ＴＲＥは、黒ムラの原因となる液晶層ＬＱのイオン性不純物を捕集することができる。非表示領域ＮＤＡにイオン性不純物を捕集することで、表示領域ＤＡにおけるイオン性不純物の凝集を阻害することができる。バンクＢＡはシール材ＳＥを形成するための硬化性樹脂組成物ＰＲＥの広がりを規制することができるため、シール材ＳＥが配置されるべき領域の一部に、イオントラップ用のポケット領域ＰＣＫを形成することができる。従って、表示装置ＤＳＰの狭額縁化の要望に伴って非表示領域ＮＤＡが縮小したとしても、イオン性不純物を収容するのに充分な体積のポケット領域ＰＣＫを非表示領域ＮＤＡに確保することができる。即ち、本実施形態によれは、狭額縁化を阻害することなく、表示品位の劣化を抑制することが可能な表示装置ＤＳＰを提供することができる。
【００５０】
なお、バンクＢＡの外側にはシール材ＳＥが連続的に配置されている。また、シール材ＳＥは、バンクＢＡの外周面ＳＦａと接触しているため、充分なシール材ＳＥの接着面積を確保することができる。従って、表示装置ＤＳＰは、バンクＢＡを配置したことによる第１基板１００と第２基板２００との接着力の低下が抑制される。また、基板に溝部ＧＲを形成することによって、シール材ＳＥの接着面積及びシール材ＳＥの体積を増加させ接着力を向上させることができる。以上の様に、表示装置ＤＳＰは、第１基板１００と第２基板２００との接着力不足による信頼性の低下を抑制することができる。
【００５１】
トラップ電極ＴＲＥの電位は、例えば、正の固定電位に設定されることで、負電荷を有するイオン性不純物をポケット領域ＰＣＫに捕集することができる。また、トラップ電極ＴＲＥの電位は、負の固定電位に設定されることで、正電荷を有するイオン性不純物をポケット領域ＰＣＫに捕集することができる。
【００５２】
トラップ電極ＴＲＥは、走査線ドライバＧＤへ固定電位を供給するデータ供給線ＳＩＧに電気的に接続されているため、狭額縁の非表示領域において、トラップ電極ＴＲＥに固定電位を供給するための配線を更に配置する必要がない。
【００５３】
更に、トラップ電極ＴＲＥに供給される固定電位を切り替えるスイッチング回路ＳＷを備えることで、表示装置ＤＳＰは、負電荷と正電荷のどちらのイオン性不純物に起因した表示ムラであっても抑制することができる。また、トラップ電極ＴＲＥに供給される固定電位を、表示装置ＤＳＰの駆動中に切り替えることができる。
【００５４】
また、バンクＢＡは、スペーサＳＰと同一基板上に形成されているため、バンクＢＡとスペーサＳＰとは、同一の材料を用いて同時に形成することが可能となる。これにより、バンクＢＡを形成するための別途の製造工程が不要となり、製造コストの増加を抑制することができる。
【００５５】
また、バンクＢＡは、シール材ＳＥの液晶層ＬＱとの境界よりも液晶層側に突出している。これによって、バンクＢＡによって囲まれるポケット領域ＰＣＫにシール材ＳＥが形成されることを防止し、ポケット領域ＰＣＫの面積の減少を防止することができる。
【００５６】
トラップ電極ＴＲＥは、屈曲部ＢＰと、第１延出部ＥＰ１と、第２延出部ＥＰ２と、を備えており、Ｌ字形状を有している。ポケット領域ＰＣＫの中の、第１角部Ｃ１に近く開口部ＡＰから遠い位置にトラップ電極ＴＲＥを配置することによって、イオン性不純物をポケット領域ＰＣＫの中により多く捕集させることができる。
【００５７】
以下で、本実施形態の変形例について説明する。なお、各変形例においても、本実施形態と同様の効果を得ることができる。
【００５８】
図１１は、トラップ電極の形状が異なる変形例の表示パネルを示す図である。  
本変形例は、トラップ電極ＴＲＥの形状が、多角形である点で、図１０に図示した構成例と相違している。このトラップ電極ＴＲＥは、Ｘ−Ｙ平面を平面視した場合、第１方向Ｘに長辺を有する長方形である。本変形例において、トラップ電極ＴＲＥは、ポケット領域ＰＣＫにおいて可能な限り広く占有する様に配置される。
【００５９】
本変形例は、トラップ電極ＴＲＥの面積が広いため、トラップ電極ＴＲＥに対向する領域に電気的に誘引されるイオン性不純物を、より多くポケット領域ＰＣＫに捕集することができる。
【００６０】
図１２は、トラップ電極及びバンクの位置が異なる変形例の表示パネルを示す図である。  
本変形例は、表示領域ＤＡ（画素ＰＸ）がポケット領域ＰＣＫの内側に位置している点で、図１０に図示した構成例と相違している。トラップ電極ＴＲＥの第１延出部ＥＰ１は、第２端辺ＥＤ２と平行な方向で、表示領域ＤＡとバンクＢＡの第１部分ＰＡ１との間に位置し、第２延出部ＥＰ２は、第１端辺ＥＤ１と平行な方向で、表示領域ＤＡとバンクＢＡの第２部分ＰＡ２との間に位置している。このとき、バンクＢＡの端部ＯＥ１は、第１方向Ｘで表示領域ＤＡと対向し、端部ＯＥ２は、第２方向Ｙで表示領域ＤＡと対向している。
【００６１】
本変形例は、表示装置ＤＳＰがより狭額縁化し非表示領域ＮＤＡの面積が減少したとしても、イオン性不純物を充分に非表示領域ＮＤＡに捕集して、表示装置ＤＳＰの表示ムラの発生を抑制することができる。
【００６２】
図１３は、バンクの形状が異なる変形例の表示パネルを示す図である。  
本変形例は、バンクＢＡが凹凸形状の外周面ＳＦａを有している点で、図１０に図示した構成例と相違している。凹凸形状の外周面ＳＦａを有するバンクＢＡを適用することにより、シール材ＳＥとバンクＢＡとが接触する面積を増加することができる。これにより、シール材ＳＥと外周面ＳＦａとの接着力が向上し、第１角部Ｃ１から第１基板１００と第２基板２００との間に剥離が生じることを抑制することができる。
【００６３】
次に図１４乃至図１６で、バンクＢＡ及びトラップ電極ＴＲＥの配置に関する変形例について説明する。  
なお、バンクＢＡ及びトラップ電極ＴＲＥの配置は、第１角部Ｃ１の近傍に限定されるものではなく、第２角部Ｃ２、第３角部Ｃ３、又は第４角部Ｃ４の近傍であってもよい。第２角部Ｃ２、第３角部Ｃ３、又は第４角部Ｃ４の近傍に形成されたバンクＢＡ及びトラップ電極ＴＲＥであっても、第１角部Ｃ１の近傍に形成されたバンクＢＡ及びトラップ電極ＴＲＥと同様の効果を得ることができる。
【００６４】
図１４は、トラップ電極及びバンクの配置の一例を示す図である。  
本変形例において、第１角部Ｃ１の近傍に第１ポケット領域ＰＣＫ１が配置され、第２角部Ｃ２の近傍に第２ポケット領域ＰＣＫ２が配置され、第３角部Ｃ３の近傍に第３ポケット領域ＰＣＫ３が配置され、第４角部Ｃ４の近傍に第４ポケット領域ＰＣＫ４が配置されている。なお、第１乃至第４ポケット領域ＰＣＫ１乃至ＰＣＫ４は、それぞれトラップ電極ＴＲＥと、表示領域ＤＡ側に開口部ＡＰを有しトラップ電極ＴＲＥの周囲に配置されたバンクＢＡと、を有している。
【００６５】
本変形例は、第１角部Ｃ１乃至第４角部Ｃ４の全ての近傍にバンクＢＡ及びトラップ電極ＴＲＥを備えているので、表示装置ＤＳＰの４角のどこにイオン性不純物が凝集する場合であっても、表示ムラの発生を抑制することができる。
【００６６】
図１５は、トラップ電極及びバンクを実装辺の反対側の端辺に配置した場合の変形例を示す図である。本変形例は、第１角部Ｃ１及び第２角部Ｃ２の近傍にバンクＢＡ及びトラップ電極ＴＲＥを備えている。
【００６７】
図１６は、トラップ電極及びバンクを実装辺側の端辺に配置した場合の変形例を示す図である。本変形例は、第３角部Ｃ３及び第４角部Ｃ４の近傍にバンクＢＡ及びトラップ電極ＴＲＥを備えている。
【００６８】
図１５乃至図１６に図示した変形例の様に、イオン性不純物の凝集しやすい端辺の両端にバンクＢＡ及びトラップ電極ＴＲＥを備えていることで、効果的に表示ムラの発生を抑制することができる。
【００６９】
図１７は、トラップ電極及びバンクが端辺に沿って第１角部から第２角部まで一体的に形成された場合の変形例を示す図である。  
本変形例は、第１ポケット領域ＰＣＫ１と第２ポケット領域ＰＣＫ２とが第２端辺ＥＤ２に平行に連続的に形成されている点で、図１５に図示した変形例と相違している。バンクＢＡは、第２端辺ＥＤ２に平行な方向に長辺を有する角丸長方形状であり、実装部ＭＴ側に位置する長辺に開口部を有している。第１角部Ｃ１近傍に位置するバンクＢＡの端部ＯＥ１１は、第２端辺ＥＤ２に平行な方向で表示領域ＤＡに対向している。第２角部Ｃ２近傍に位置するバンクＢＡの端部ＯＥ２１は、第２端辺ＥＤ２に平行な方向で表示領域ＤＡに対向し、端部ＯＥ１１に対向している。トラップ電極ＴＲＥは、実装部ＭＴ側に開口部を有するコ字形状に形成され、表示領域ＤＡとバンクＢＡとの間に位置している。
【００７０】
本変形例によれは、表示装置ＤＳＰは、第１角部Ｃ１又は第２角部Ｃ２にのみバンクＢＡ及びトラップ電極ＴＲＥを形成する場合に比べて、より大きなトラップ電極ＴＲＥを配置することができるため、より多くのイオン性不純物を捕集することができる。即ち、狭額縁の表示装置ＤＳＰであっても、充分に表示ムラの発生を抑制することができる。
【００７１】
以上説明したように、本実施形態によれば、狭額縁化を阻害することなく表示品位の劣化を抑制することが可能な表示装置を提供することができる。
【００７２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７３】
ＰＮＬ…表示パネル  １００…第１基板  ２００…第２基板  ＬＱ…液晶  
ＥＤ１…第１端辺  ＥＤ２…第２端辺  Ｃ１…第１角部  ＤＡ…表示領域  
ＮＤＡ…非表示領域  ＰＸ…画素  シール材ＳＥ  ＢＡ…バンク  ＳＦａ…外周面  
ＰＡ１…第１部分  ＰＡ２…第２部分  ＰＡ３…第３部分  ＰＡ４…第４部分  
ＴＲＥ…トラップ電極  ＢＰ…屈曲部  ＥＰ１…第１延出部  ＥＰ２…第２延出部  
ＰＣＫ…ポケット領域  ＡＰ…開口部  ＯＥ１…端部  ＯＥ２…端部  
ＣＮ…接続部
【図１】
2017026815.tif 000003
【図２】
2017026815.tif 000004
【図３】
2017026815.tif 000005
【図４】
2017026815.tif 000006
【図５】
2017026815.tif 000007
【図６】
2017026815.tif 000008
【図７】
2017026815.tif 000009
【図８】
2017026815.tif 000010
【図９】
2017026815.tif 000011
【図１０】
2017026815.tif 000012
【図１１】
2017026815.tif 000013
【図１２】
2017026815.tif 000014
【図１３】
2017026815.tif 000015
【図１４】
2017026815.tif 000016
【図１５】
2017026815.tif 000017
【図１６】
2017026815.tif 000018
【図１７】
2017026815.tif 000019